(57)【特許請求の範囲】
【請求項１】
カバー本体と接続固定部と接続端子とを備えた密封カバーであって、
前記カバー本体は、頂壁および側壁から形成された半包囲構造であり、
前記接続固定部が底板と側板と位置決め突条とを含み、前記底板が前記カバー本体内に位置し、且つ前記底板の前記カバー本体の頂壁に向く側と前記カバー本体の頂壁及び側壁とから電線収容部を形成し、前記底板のカバー本体開口部に向く側と前記側壁とから係合固定部を形成し、
前記側板は前記電線収容部内に位置して前記底板と共に電線ガイド溝を形成し、前記底板にガイド用穴が設けられ、
前記位置決め突条が前記電線ガイド溝の底板に設けられ、前記ガイド用穴が前記位置決め突条に位置し、
前記接続端子が電気コネクタとリード線ホルダとを含み、前記電気コネクタは前記リード線ホルダの一端に固く接続し、且つ前記電気コネクタが前記電線ガイド溝内に挿設され、前記リード線ホルダが前記電線ガイド溝から露出され、
前記電気コネクタに２個のクランプを設け、前記電気コネクタが前記電線ガイド溝に挿設された時、前記２個のクランプが前記電線ガイド溝内の前記位置決め突条を挟むことで、
前記電気コネクタが前記位置決め突条に沿い前記ガイド用穴までスライドし、前記位置決め突条に固定することを特徴とする、密封カバー。
【請求項２】
前記２個のクランプの一端が各々前記リード線ホルダに固定され、且つ前記２個のクランプが互いに対向配置されることによってクランプ隙間を形成し、前記電気コネクタが前記電線ガイド溝に挿設された時、前記２個のクランプが前記電線ガイド溝内の前記位置決め突条を挟むことで、前記クランプ隙間の下側は前記位置決め突条により広げられ、前記電気コネクタを固定させることを特徴とする、請求項１に記載の密封カバー。
【請求項３】
前記カバー本体の頂壁に位置制限部を設け、前記位置制限部は前記電線ガイド溝に面して前記電線ガイド溝内まで延伸されることを特徴とする、請求項２に記載の密封カバー。
【請求項４】
前記位置制限部には位置制限フランジおよび位置制限プレートを設け、前記位置制限フランジが前記電線ガイド溝に面して前記電線ガイド溝内まで延伸され、且つ同一前記電線ガイド溝内に少なくとも２個の前記位置制限フランジが延伸され、同一電線ガイド溝内の２個の前記位置制限フランジ間に前記位置制限プレートを連結し、且つ前記位置制限プレートが前記電線ガイド溝の軸方向に平行にならず、前記２個の位置制限フランジは前記位置制限プレート及び前記カバー本体の前記頂壁と共に位置制限用係止溝を形成することを特徴とする、請求項３に記載の密封カバー。
【請求項５】
前記接続端子に接続部および位置制限用係止リブを設け、前記接続部が前記２個のクランプの他端に配設されてそこに固定され、前記位置制限用係止リブは、前記２個のクランプで形成されたクランプ隙間の上側に位置し、且つ一端が前記接続部に固定され、他端が前記リード線ホルダに向かって延伸され前記クランプ隙間の上側面とフレア角を形成し、前記電気コネクタが前記電線ガイド溝に挿設された時、前記位置制限用係止リブは前記位置制限部の位置制限プレートで圧縮されたことにより前記フレア角を圧縮し、前記電気コネクタが前記電線ガイド溝に挿設された後、前記位置制限用係止リブは跳ね返って前記フレア角が元の大きさに戻り、前記電気コネクタが前記電線ガイド溝に沿って前記カバー本体から離れた方向に向かって引っ張られた時、前記位置制限用係止リブの他端は前記位置制限用係止溝内に係入されることを特徴とする、請求項４に記載の密封カバー。
【請求項６】
前記２個のクランプは、いずれも円弧状のシートであることを特徴とする、請求項５に記載の密封カバー。
【請求項７】
前記接続固定部の側板と前記カバー本体の側壁との間は中実構造であることを特徴とする、請求項１〜６の何れか一項に記載の密封カバー。
【請求項８】
前記接続固定部の側板と前記カバー本体の側壁との間は中空構造であることを特徴とする、請求項１〜６の何れか一項に記載の密封カバー。
【請求項９】
前記カバー本体の側壁に電線ガイドスロットが設けられ、前記電線ガイドスロットは前記電線ガイド溝と連通することを特徴とする、請求項１〜６の何れか一項に記載の密封カバー。
【請求項１０】
前記接続固定部及び前記カバー本体の頂壁は前記電線ガイドスロットの方向に沿って延伸し前記カバー本体の側壁から突出されることを特徴とする、請求項９に記載の密封カバー。
【請求項１１】
前記接続固定部の底板と前記接続固定部の側板との間に複数の前記電線ガイド溝を形成することを特徴とする、請求項１〜６の何れか一項に記載の密封カバー。
【請求項１２】
上蓋本体と、前記上蓋本体に嵌って設けられるターミナルポストホルダと、前記上蓋本体に組み込みながらターミナルポストホルダを挿通してモータとの接続用のターミナルポストと、ターミナルポストホルダに覆設される密封カバーと、を備えている上蓋アセンブリであって、
前記密封カバーはカバー本体と接続固定部と接続端子とを設け、前記カバー本体は頂壁および側壁から形成された半包囲構造であり、前記接続固定部が底板と側板と位置決め突条とを含み、前記底板が前カバー本体内に位置し、且つ前記底板の前記カバー本体の頂壁に向く側と前記カバー本体の頂壁及び側壁とから電線収容部を形成し、前記底板のカバー本体開口部に向く側と前記側壁とから係合固定部を形成し、前記側板は前記電線収容部内に位置して前記底板と共に電線ガイド溝を形成し、前記底板にガイド用穴が設けられ、
前記位置決め突条が前記電線ガイド溝の底板に設けられ、前記ガイド用穴が前記位置決め突条に位置し、
前記接続端子が電気コネクタとリード線ホルダとを含み、前記電気コネクタは前記リード線ホルダの一端に固く接続し、且つ前記電気コネクタが前記電線ガイド溝内に挿設され、前記リード線ホルダが前記電線ガイド溝から露出され、
前記電気コネクタに２個のクランプを設け、前記電気コネクタが前記電線ガイド溝に挿設された時、前記２個のクランプが前記電線ガイド溝内の前記位置決め突条を挟むことで、
前記電気コネクタが前記位置決め突条に沿い前記ガイド用穴までスライドし、前記位置決め突条に固定することを特徴とする、上蓋アセンブリ。
【請求項１３】
前記２個のクランプの一端が各々前記リード線ホルダに固定され、且つ前記２個のクランプが互いに対向配置されることによってクランプ隙間を形成し、前記電気コネクタが前記電線ガイド溝に挿設された時、前記２個のクランプが前記電線ガイド溝内の前記位置決め突条を挟むことで、前記クランプ隙間の下側は前記位置決め突条により広げられ、前記電気コネクタを固定させることを特徴とする、請求項１２に記載の上蓋アセンブリ。
【請求項１４】
前記カバー本体の頂壁に位置制限部を設け、前記位置制限部は前記電線ガイド溝に面して前記電線ガイド溝内まで延伸され、前記位置制限部には、位置制限フランジおよび位置制限プレートを設け、前記位置制限フランジが前記電線ガイド溝に面して前記電線ガイド溝内まで延伸され、且つ同一前記電線ガイド溝内に少なくとも２個の前記位置制限フランジが延伸され、同一前記電線ガイド溝内の２個の前記位置制限フランジ間に前記位置制限プレートを連結し、且つ前記位置制限プレートが前記電線ガイド溝の軸方向に平行にならず、前記２個の位置制限フランジは前記位置制限プレート及び前記カバー本体の前記頂壁と共に位置制限用係止溝を形成することを特徴とする、請求項１３に記載の上蓋アセンブリ。
【請求項１５】
前記接続端子に接続部および位置制限用係止リブを設け、前記接続部が前記２個のクランプの他端に配設されてそこに固定され、前記位置制限用係止リブは、前記２個のクランプで形成されたクランプ隙間の上側に位置し、且つ一端が前記接続部に固定され、他端が前記リード線ホルダに向かって延伸され前記クランプ隙間の上側面とフレア角を形成し、前記電気コネクタが前記電線ガイド溝に挿設された時、前記位置制限用係止リブは前記位置制限部の位置制限プレートで圧縮されたことにより前記フレア角を圧縮し、前記電気コネクタが前記電線ガイド溝に挿設された後、前記位置制限用係止リブは跳ね返って前記フレア角が元の大きさに戻り、前記電気コネクタが前記電線ガイド溝に沿って前記カバー本体から離れた方向に向かって引っ張られた時、前記位置制限用係止リブの他端は前記位置制限用係止溝内に係入されることを特徴とする、請求項１４に記載の上蓋アセンブリ。
【請求項１６】
密封カバーおよびターミナルポストホルダの接合部に設けられたシールリングを含むことを特徴とする、請求項１２〜１５の何れか一項に記載の上蓋アセンブリ。
【請求項１７】
受け台と押付部品とを含み、前記受け台は、前記ターミナルポストホルダに固定され、前記受け台の両側に左右対称になる掛止穴が突設され、前記押付部品の両側に前記掛止穴に掛けるための左右対称になる掛止フックが設けられ、前記頂壁の頂面の外側に前記押付部品を収容するための押付溝が設けられ、前記押付部品の掛止フックを前記掛止穴に掛け、前記頂壁の方向に向かって前記押付部品を押し、前記押付部品を前記押付溝に係入させることを特徴とする、請求項１２に記載の上蓋アセンブリ。
【請求項１８】
前記押付部品は、弾性ストリップ状構造であることを特徴とする、請求項１７に記載の上蓋アセンブリ。
【請求項１９】
筐体と前記筐体に覆設される上蓋アセンブリとを含み、前記筐体内にポンプ及びモータが設けられ、前記上蓋アセンブリは、上蓋本体と、前記上蓋本体に嵌って設けられるターミナルポストホルダと、前記上蓋本体に組み込みながらターミナルポストホルダを挿通してモータとの接続用のターミナルポストと、ターミナルポストホルダに覆設される密封カバーと、を備えている圧縮機であって、
前記密封カバーは、カバー本体と接続固定部と接続端子とを含み、前記カバー本体は頂壁および側壁から形成された半包囲構造であり、前記接続固定部が底板と側板と位置決め突条とを含み、前記底板が前記カバー本体内に位置し、且つ前記底板の前記カバー本体の前記頂壁に向く側と前記カバー本体の頂壁及び側壁とから電線収容部を形成し、前記底板のカバー本体開口部に向く側と前記側壁とから係合固定部を形成し、前記側板は前記電線収容部内に位置して前記底板と共に電線ガイド溝を形成し、前記底板にガイド用穴が設けられ、
前記位置決め突条が前記電線ガイド溝の底板に設けられ、前記ガイド用穴が前記位置決め突条に位置し、
前記接続端子が電気コネクタとリード線ホルダとを含み、前記電気コネクタは前記リード線ホルダの一端に固く接続し、且つ前記電気コネクタが前記電線ガイド溝内に挿設され、前記リード線ホルダが前記電線ガイド溝から露出され、
前記電気コネクタに２個のクランプを設け、前記電気コネクタが前記電線ガイド溝に挿設された時、前記２個のクランプが前記電線ガイド溝内の前記位置決め突条を挟むことで、
前記電気コネクタが前記位置決め突条に沿い前記ガイド用穴までスライドし、前記位置決め突条に固定することを特徴とする、圧縮機。
【請求項２０】
前記２個のクランプの一端が各々前記リード線ホルダに固定され、且つ前記２個のクランプが互いに対向配置されることによってクランプ隙間を形成し、前記電気コネクタが前記電線ガイド溝に挿設された時、前記２個のクランプが前記電線ガイド溝内の位置決め突条を挟むことで、前記クランプ隙間の下側は前記位置決め突条により広げられ、前記電気コネクタを固定させることを特徴とする、請求項１９に記載の圧縮機。
【請求項２１】
前記カバー本体の頂壁に位置制限部を設け、前記位置制限部は前記電線ガイド溝に面して前記電線ガイド溝内まで延伸され、前記位置制限部には、位置制限フランジおよび位置制限プレートを設け、前記位置制限フランジが前記電線ガイド溝に面して前記電線ガイド溝内まで延伸され、且つ同一前記電線ガイド溝内に少なくとも２個の前記位置制限フランジが延伸され、同一前記電線ガイド溝内の２個の前記位置制限フランジ間に前記位置制限プレートを連結し、且つ前記位置制限プレートが前記電線ガイド溝の軸方向に平行にならず、前記２個の位置制限フランジは前記位置制限プレート及び前記カバー本体の頂壁と共に位置制限用係止溝を形成することを特徴とする、請求項２０に記載の圧縮機。
【請求項２２】
前記接続端子に接続部および位置制限用係止リブを設け、前記接続部が前記２個のクランプの他端に配設されてそこに固定され、前記位置制限用係止リブは、前記２個のクランプで形成されたクランプ隙間の上側に位置し、且つ一端が前記接続部に固定され、他端が前記リード線ホルダに向かって延伸され前記クランプ隙間の上側面とフレア角を形成し、前記電気コネクタが前記電線ガイド溝に挿設された時、前記位置制限用係止リブは前記位置制限部の位置制限プレートで圧縮されたことにより前記フレア角を圧縮し、前記電気コネクタが前記電線ガイド溝に挿設された後、前記位置制限用係止リブは跳ね返って前記フレア角が元の大きさに戻り、前記電気コネクタが前記電線ガイド溝に沿って前記カバー本体から離れた方向に向かって引っ張られた時、前記位置制限用係止リブの他端は前記位置制限用係止溝内に係入されることを特徴とする、請求項２１に記載の圧縮機。
【請求項２３】
密封カバーおよびターミナルポストホルダの接合部に設けられたシールリングを含むことを特徴とする、請求項１９〜２２の何れか一項に記載の圧縮機。
【請求項２４】
受け台と押付部品とを含み、前記受け台は、前記ターミナルポストホルダに固定され、前記受け台の両側に左右対称になる掛止穴が突設され、前記押付部品の両側に前記掛止穴に掛けるための左右対称になる掛止フックが設けられ、前記頂壁の頂面の外側に前記押付部品を収容するための押付溝が設けられ、前記押付部品の掛止フックを前記掛止穴に掛け、前記頂壁の方向に向かって前記押付部品を押し、前記押付部品を前記押付溝に係入させることを特徴とする、請求項２３に記載の圧縮機。
【発明の詳細な説明】
【技術分野】
【０００１】
本発明は圧縮機分野に関し、特に密封カバー、上蓋アセンブリ及び圧縮機に関する。
【背景技術】
【０００２】
圧縮機は、低圧気体から高圧気体に圧縮する機械として、空調機等の分野に幅広く活用されている。圧縮機は筐体と筐体に覆設される上蓋アセンブリとを含む。前記筐体内にポンプ及びモータ等の装置が設けられる。前記上蓋アセンブリには、上蓋本体、上蓋本体に嵌って設けられるターミナルポストホルダ、上蓋本体に組み込みながらターミナルポストホルダを挿通してモータとの接続用のターミナルポスト、ターミナルポストと接続し外部電源との接続用の接続端子、及びターミナルポストホルダの上面に接しターミナルポストおよび接続端子をカバーするターミナルカバーを含む。
【０００３】
本発明者は、本発明の製造プロセスにおいて、上蓋アセンブリを取り付ける場合、通常、最初に接続端子をターミナルポストに接続させてからターミナルカバーを被せ、ターミナルカバーを密封するため、接続端子とターミナルポストとターミナルカバーとの間にシール材を充填する必要があることを発見した。ターミナルカバーがターミナルポストを覆設した時、ターミナルカバーがターミナルポストホルダの半分を包囲し、接続端子とターミナルポストとターミナルカバーとの間の密封が極めて悪化し、且つ容易に隙間が生じ、接続端子の位置が固定されず、接続端子の間にも容易に隙間が生じ、良好な密封効果を奏することができなかった。
【発明の概要】
【発明が解決しようとする課題】
【０００４】
そこで、本発明は、便利で効果的に接続端子、密封カバー及びターミナルポストを密封する密封カバーの提供を目的とする。
【課題を解決するための手段】
【０００５】
カバー本体と接続固定部とを含む密封カバーにおいて、前記カバー本体は頂壁および側壁から形成された半包囲構造であり、前記接続固定部が底板と側板とを含み、前記底板が前記カバー本体内に位置し、且つ前記底板の前記カバー本体の頂壁に向く側と前記カバー本体の頂壁及び側壁とから電線収容部を形成し、前記底板のカバー本体開口部に向く側と前記側壁とから係合固定部を形成し、前記側板は前記電線収容部内に位置して前記底板と共に電線ガイド溝を形成し、前記底板にガイド用穴が設けられる。
【０００６】
電線ガイド溝に接続端子を挿設し易く、簡単に電線ガイド溝内にシール材を充填し、効果的に接続端子を密封することができる。前記係合固定部を介して簡単に密封カバーをターミナルポストホルダ上に覆設すると共に、ターミナルポストホルダ上のターミナルポストを前記ガイド用穴に挿通させた後、電線ガイド溝内の接続端子と密接させ、接続端子とターミナルポストの電気的な接続を達成し、便利で且つ効果的に密封カバーとターミナルポストホルダとの密封的な取り付けを実現し、接続端子とターミナルポストとの間の簡単な接続及び密封も実現できる。
【０００７】
一実施の形態によれば、前記接続固定部に位置決め突条を設け、前記位置決め突条が前記電線ガイド溝の底板に設けられ、前記ガイド用穴が前記位置決め突条に位置することで、電線ガイド溝内に挿設された接続端子の位置を相対的に固定させることができ、ガイド用穴を挿通した後、ターミナルポストを接続端子と密接させることができる。
【０００８】
一実施の形態によれば、さらに前記密封カバーに接続端子を設け、前記接続端子が電気コネクタとリード線ホルダとを含み、前記電気コネクタは前記リード線ホルダの一端に固く接続し、且つ前記電気コネクタが前記電線ガイド溝内に挿設され、前記リード線ホルダが前記電線ガイド溝から露出する。
【０００９】
一実施の形態によれば、前記電気コネクタに２個のクランプを設け、前記電気コネクタが前記電線ガイド溝に挿設された時、前記２個のクランプが前記電線ガイド溝内の前記位置決め突条を挟むことで、前記電気コネクタが前記位置決め突条に沿い前記ガイド用穴までスライドし、前記位置決め突条に固定する。
他の実施形態によれば、前記２個のクランプの一端が各々前記リード線ホルダに固定され、且つ前記２個のクランプが互いに対向配置されることによってクランプ隙間を形成し、前記電気コネクタが電線ガイド溝に挿設された時、前記２個のクランプが前記電線ガイド溝内の前記位置決め突条を挟むことで、前記クランプ隙間の下側は前記位置決め突条により広げられ、前記電気コネクタを固定させる。
【００１０】
他の実施の形態によれば、前記カバー本体の頂壁に位置制限部を設け、前記位置制限部は前記電線ガイド溝に面して前記電線ガイド溝内まで延伸される。前記位置制限部において、位置制限フランジおよび位置制限プレートを設け、前記位置制限フランジが前記電線ガイド溝に面して前記電線ガイド溝内まで延伸され、且つ同一電線ガイド溝内に少なくとも２個の位置制限フランジが延伸され、同一電線ガイド溝内の２個の位置制限フランジ間に前記位置制限プレートを連結し、且つ前記位置制限プレートが前記電線ガイド溝の軸方向に平行にならず、前記２個の位置制限フランジは前記位置制限プレート及び前記カバー本体の頂壁と共に位置制限用係止溝を形成することにより、電気コネクタが電線ガイド溝から抜け落ちることを防止する。
【００１１】
他の実施の形態によれば、前記接続端子に接続部および位置制限用係止リブを設け、前記接続部が前記２個のクランプの他端に配設されてそこに固定され、前記位置制限用係止リブは、前記２個のクランプで形成されたクランプ隙間の上側に位置し、且つ一端が前記接続部に固定され、他端が前記リード線ホルダに向かって延伸され前記クランプ隙間の上側面とフレア角を形成する。電気コネクタが電線ガイド溝に挿設された時、前記位置制限用係止リブは前記位置制限部の位置制限プレートで圧縮されたことにより前記フレア角を圧縮し、電気コネクタが電線ガイド溝に挿設された後、前記位置制限用係止リブは跳ね返って前記フレア角が元の大きさに戻り、電気コネクタが電線ガイド溝に沿ってカバー本体から離れた方向に向かって引っ張られた時、前記位置制限用係止リブの他端は前記位置制限用係止溝内に係入されることで、電線ガイド溝内に挿設されている電気コネクタが抜け落ちるのを防止し、さらに電気コネクタを固定させる役割がある。
【００１２】
他の実施の形態によれば、前記接続固定部の側板と前記カバー本体の側壁との間は中実構造であり、密封カバーの射出成形が容易となる。
【００１３】
他の実施の形態によれば、前記接続固定部の側板と前記カバー本体の側壁との間は中空構造であり、密封カバーの射出成形時、熱膨張冷収縮による変形又はクラック発生等の問題を防止し、射出成形の歩留まりを高める。
【００１４】
他の実施の形態によれば、前記カバー本体の側壁に電線ガイドスロットが設けられ、前記電線ガイドスロットは前記電線ガイド溝と連通する。前記電線ガイド溝及び前記カバー本体の頂壁は、前記電線ガイドスロットの方向に沿って延伸し前記カバー本体の側壁から突出されることで、輸送等の移動途中で、ガイド溝内に挿設されている接続端子及び露出しているリード線ホルダが引っ張り等の操作により抜け落ちることを防止し、同時に外部とターミナルポストに一定の空間距離を空けることにより、効果的にターミナルポスト内への水や埃の侵入を防止させることができる。
【００１５】
さらに、本発明は、上蓋アセンブリを提供する。前記上蓋アセンブリは、上蓋本体と、上蓋本体に嵌って設けられるターミナルポストホルダと、前記上蓋本体に組み込みながらターミナルポストホルダを挿通してモータとの接続用のターミナルポストと、上記の何れかの密封カバーとを含み、前記密封カバーを前記ターミナルポストホルダに覆設する。
【００１６】
さらに、本発明は、筐体と筐体に覆設される上蓋アセンブリとを含む圧縮機を提供する。前記筐体内にポンプ及びモータ等の装置が設けられ、前記上蓋アセンブリは、上蓋本体と、上蓋本体に嵌って設けられるターミナルポストホルダと、前記上蓋本体に組み込みながらターミナルポストホルダを挿通してモータとの接続用のターミナルポストと、上記の何れかの密封カバーと、を含み、前記密封カバーを前記ターミナルポストホルダに覆設する。
【００１７】
更なる理解と実施のため、以下において、添付図面を参照して本発明の実施の形態を詳しく説明する。
【図面の簡単な説明】
【００１８】
【図１】本発明の実施形態に係る密封カバーの構造を示す構成図である。
【図２】図１における密封カバーの底面図である。
【図３】図１における密封カバーの左側面図である。
【図４】図１における密封カバーの側面図である。
【図５】図１における密封カバーの側断面図である。
【図６】一実施形態による図４におけるＡ−Ａ断面図である。
【図７】図６における断面図の斜視図である。
【図８】他の実施形態による図４におけるＡ−Ａ断面図である。
【図９】図８における断面図の斜視図である。
【図１０】本発明の実施形態に係る接続端子の構成図である。
【図１１】図１０における接続端子の側面図である。
【図１２】一実施形態内のターミナルポストホルダに密封カバーを覆設した後の構成斜視図である。
【図１３】図１２における構造の上面図である。
【図１４】図１２における構造の側面図である。
【発明を実施するための形態】
【００１９】
図１から図５を参照して、図１は本発明の実施形態に係る密封カバーの構造を示す構成図であり、図２は図１における密封カバーの底面図であり、図３は図１における密封カバーの左側面図であり、図４は図１における密封カバーの側面図であり、図５は図１における密封カバーの側断面図である。
【００２０】
本発明に係る密封カバーは、カバー本体１と接続固定部２とを含む。前記カバー本体１は、頂壁１１および側壁１２から形成された半包囲構造であり、前記接続固定部２が底板２１と側板２２とを含み、前記底板２１が頂壁１１と平行な状態で前記カバー本体１内に位置し、且つ前記底板２１の前記カバー本体１の頂壁１１に向く側と前記カバー本体１の頂壁１１及び側壁１２とから電線収容部１３を形成することで、接続端子を電線収容部１３に収容し、前記底板２１の前記カバー本体１開口部に向く側と前記側壁１２とから係合固定部１４を形成することで、前記係合固定部１４により密封カバーをターミナルポストホルダに覆設する。前記側板２２は前記電線収容部１３内に位置して前記底板２１に固定してあり、前記底板２１と共に電線ガイド溝２３を形成し、電線ガイド溝２３により固定接続端子を挿設する。前記底板２１にガイド用穴２４が設けられ、前記ガイド用穴２４により前記電線ガイド溝２３が係合固定部１４と貫通接続する。
【００２１】
前記カバー本体１の側壁１２に電線ガイドスロット１２１が設けられ、前記電線ガイドスロット１２１は前記電線ガイド溝２３と連通し、前記電線ガイドスロット１２１を経由し前記電線ガイド溝２３に接続端子が挿入される。
【００２２】
密封カバーを簡便に保持し、密封カバーをターミナルポストホルダの上に覆設すると共に、密封カバーの体積を減少し密封カバーの持ち運びを容易にし、及び密封カバーの体裁を高めるため、一実施の形態において、前記電線収容部１３の外側には面取り１３１が設けられる。
【００２３】
前記接続固定部の底板２１と前記接続固定部の側板２２との間には複数の前記電線ガイド溝２３が形成され、且つ前記接続固定部の側板２２が前記カバー本体の頂壁１１と接触して固定される。本実施形態において、ターミナルポストホルダ上のターミナルポストに合わせるため、前記電線ガイド溝２３の数は三つである。
【００２４】
電線ガイド溝に接続端子を挿設し易く、簡単に電線ガイド溝内にシール材を充填し、効果的に接続端子を密封することができる。前記係合固定部を介して簡単に密封カバーをターミナルポストホルダ上に覆設すると共に、ターミナルポストホルダ上のターミナルポストを前記ガイド用穴に挿通させた後、電線ガイド溝内の接続端子と密接させ、接続端子とターミナルポストの電気的な接続を達成し、便利で且つ効果的に密封カバーとターミナルポストホルダとを密封的に取り付けることができるとともに、接続端子とターミナルポストとの間の簡単な接続及び密封も実現できる。
【００２５】
図６及び図７を参照して、図６は一実施形態による図４におけるＡ−Ａ断面図であり、図７は図６における断面図の斜視図である。
【００２６】
加工製作を容易にするため、一実施形態によれば、前記接続固定部の側板２２と前記カバー本体の側壁１２との間は中実構造とする。
【００２７】
図８及び図９を参照して、図８は他の実施形態による図４におけるＡ−Ａ断面図であり、図９は図８における断面図の斜視図である。
【００２８】
密封カバーは一体化して射出成形して成るが、密封カバーの外側が薄いため冷却速度が速く、内側が中実で厚いため冷却速度が遅いことで熱膨張冷収縮による密封カバーの変形或いは内側にクラックの問題が発生し、射出成形の歩留まりを低下させる。よって、密封カバーの変形或いはクラックを防止し、歩留まりを高めるため、一実施形態において前記接続固定部２の側板２２と前記カバー本体１の側壁１２との間は中空構造とする。
【００２９】
図３、図１０及び図１１を参照して、図３は図１における密封カバーの左側面図であり、図１０は本発明の実施形態に係る接続端子の構成図であり、図１１は図１０における接続端子の側面図である。
【００３０】
一実施形態によれば、さらに前記密封カバー１において接続端子３を設け、前記接続端子３が電気コネクタ３１とリード線ホルダ３２とを含み、前記電気コネクタ３１が前記リード線ホルダ３２の一端に固く接続し、且つ前記電気コネクタ３１が前記電線ガイド溝２３内に挿設され、前記リード線ホルダ３２は前記電線ガイド溝２３から露出され、外部の電源コードに接続し電源コードおよび電気コネクタ３１を電気的に接続させるようにする。
【００３１】
前記電気コネクタ３１において２個のクランプを設け、前記２個のクランプの一端が前記リード線ホルダ３２に固定され、且つ前記２個のクランプが互いに対向配置されることによってクランプ隙間３１１を形成する。電線ガイド溝２３内に挿設されている接続端子を位置決めするため、好ましくは、前記接続固定部２において位置決め突条２５を設け、前記位置決め突条２５は前記電線ガイド溝２３の底板２１に設けられ、前記ガイド用穴２４が前記位置決め突条２５に位置する。前記電気コネクタ３１が電線ガイド溝２３に挿設された時、前記２個のクランプが前記電線ガイド溝２３内の位置決め突条２５を挟むことで、前記クランプ隙間３１１の下側を前記位置決め突条２５により広げられ前記電気コネクタ３１を固定させる。前記クランプ隙間３１１の幅はターミナルポストの直径寸法より小さいため、密封カバーの係合固定部１４をターミナルポストホルダに設けた後、ターミナルポストがクランプ隙間３１１を一層広げ、２個のクランプと密接し、接続端子とターミナルポストの電気的な接続を実現する。好ましくは、前記２個のクランプは何れも円弧状のシートである。
【００３２】
前記電線ガイド溝２３内に挿設されている電気コネクタ３１が抜け落ちることを防止し、電気コネクタ３１を一層固定させるため、さらに前記カバー本体の頂壁１１において位置制限部が設けられ、前記位置制限部は前記電線ガイド溝２３に向いて前記電線ガイド溝２３内まで延伸される。具体的に言えば、前記位置制限部において、位置制限フランジ２６および位置制限プレート２７を設け、前記位置制限フランジ２６が前記電線ガイド溝２３に面して前記電線ガイド溝２３内まで延伸され、且つ同一電線ガイド溝２３内に少なくとも２個の位置制限フランジ２６が延伸され、同一電線ガイド溝２３内の２個の位置制限フランジ２６の間に前記位置制限プレート２７を連結し、且つ前記位置制限プレート２７が前記電線ガイド溝２３の軸方向に平行にならず、前記２個の位置制限フランジ２６は前記位置制限プレート２７及び前記カバー本体１の頂壁１１と共に位置制限用係止溝２６１を形成する。前記位置制限プレート２７および前記頂壁１１は平行に対向し、且つ前記位置制限プレート２７が前記電線ガイド溝２３の軸方向に垂直となり、且つ前記位置制限用係止溝２６１の長さが前記電線ガイド溝２３の長さより短いと共に前記電線ガイドスロット１２１に近い。さらに前記接続端子において、接続部と位置制限用係止リブ３３を設け、前記接続部が前記２個のクランプの他端に設けられクランプと固定し、前記位置制限用係止リブ３３は、前記２個のクランプで形成されたクランプ隙間の上側に位置し、且つ一端が前記接続部に固定され、他端が前記リード線ホルダ３２の方向に向かって延伸され前記クランプ隙間３１１の上側面とフレア角を形成する電気コネクタ３１が電線ガイド溝２３に挿設される時、前記位置制限用係止リブ３３は前記位置制限部の位置制限プレート２７で圧縮されたことにより前記フレア角を圧縮し、電気コネクタ３１が電線ガイド溝２３に挿設された後、前記位置制限用係止リブ３３は跳ね返って前記フレア角が元の大きさに戻り、電気コネクタ３１が電線ガイド溝２３に沿ってカバー本体から離れた方向に向かって引っ張られた時、前記位置制限用係止リブ３３の他端が前記位置制限用係止溝内に係入されることで、電気コネクタ３１を電線ガイド溝２３の内に固定されるため、輸送中の移動等により電気コネクタ３１が緩んで電気コネクタ３１が電線ガイド溝２３から抜け落ちることを防止する。
【００３３】
輸送等の移動途中で、電線ガイド溝内に挿設されている電気コネクタ３１及び露出しているリード線ホルダ３２が引っ張り等の操作により抜け落ちることを防止し、外部とターミナルポストに一定の空間距離をあけて、ターミナルポストの中への水や埃の侵入を効果的に防止させ、同時に、より一層効果的に電気コネクタ３１とターミナルポストを密封させるため、好ましくは、前記接続固定部２及び前記カバー本体１の頂壁１１は、前記電線ガイドスロット１２１の方向に沿って延伸し前記側壁１２に突出し、電気コネクタ３１が電線ガイド溝２３内に挿設されターミナルポストと接続した後、電線ガイド溝２３に露出しているリード線ホルダ３２を配置するための十分なスペースを提供し、電気コネクタ３１とリード線ホルダ３２固定を補強し、より一層電気コネクタ３１とターミナルポストを密封させる。
【００３４】
図１２から図１４を参照して、図１２は、一実施形態内の密封カバーをターミナルポストホルダに覆設した後の構成斜視図であり、図１３は、図１２における構造の上面図であり、図１４は、図１２における構造の側面図である。ターミナルポストホルダは、上蓋アセンブリの上蓋本体７上に嵌って設けられる。
【００３５】
さらに、本発明は上蓋アセンブリを提供する。前記上蓋アセンブリは、上蓋本体７と、上蓋本体７に嵌って設けられるターミナルポストホルダと、上蓋本体７に組み込みながらターミナルポストホルダを挿通してモータとの接続用のターミナルポストと、上記の何れかの密封カバーと、を含み、前記密封カバーを前記ターミナルポストホルダに覆設する。
【００３６】
さらに、密封効果を高めるため、前記上蓋アセンブリにおいて、シールリング４を設け、前記シールリング４が密封カバーおよびターミナルポストホルダの接合部に設けられ、ターミナルポストホルダに密封カバーを覆設した後前記シールリング４を押し付けることにより、前記密封カバーおよびターミナルポストホルダの隙間を減らし、密封カバーおよびターミナルポストホルダ間の密封を強化する。
【００３７】
さらに、密封カバーおよびターミナルポストホルダ間の密封を強化するため、好ましくは、前記上蓋アセンブリにおいて、受け台５と押付部品６とを設ける。前記受け台５は、ターミナルポストホルダの表面に溶接され、前記受け台５の両側に左右対称になる掛止穴５１が突設される。前記押付部品６の両側に掛止穴５１に掛けるための左右対称掛止フック６１が設けられ、前記頂壁１１の頂面の外側に押付部品６を収容するための押付溝１１１が設けられる。前記押付部品６は、弾性ストリップ状構造である。前記受け台５をターミナルポストホルダの表面に溶接することにより、前記掛止穴５１をターミナルポストホルダに突出させ、押付部品６の掛止フック６１を掛止穴５１に掛け、押付部品６および受け台５の固定を達成する。更に押付部品６を頂壁１１側に向かって押し、押付部品６を押付溝１１１上に係入させ、密封カバーが前記シールリング４を押し付けることにより、密封カバーとターミナルポストホルダとの間の密封をより一層強化する。
【００３８】
使用時、まず接続端子の２個のクランプ３１を各々電線ガイドスロット１２１から電線ガイド溝２３内に挿設して２個のクランプのクランプ隙間３１１が位置決め突条２５で広げられ、接続端子３は電線ガイド溝２３に固定される。次に、ターミナルポストホルダ上に係合固定部１４が覆設されるように密封カバーを保持し、前記密封カバーを押し付け、前記係合固定部１４およびターミナルポストホルダを固定し、一方ターミナルポストホルダ上のターミナルポストが電線ガイド溝２３上のガイド用穴２４を挿通して２個のクランプ間のクランプ隙間３１１に入り込み、ターミナルポストおよび２個のクランプを密接させ、それから密封カバーとターミナルポストホルダの取り付けを達成し、ターミナルポストおよび接続端子３の接続も実現する。受け台５を溶接したターミナルポストホルダの上に、押付部品６の掛止フック６１を受け台５の掛止穴５１に掛け、それから押付部品６を頂壁１１側に向かって押し、押付部品６を頂壁１１の押付溝１１１上に係入させ、密封カバーが前記シールリング４を押し付けて、密封カバーおよびターミナルポストホルダ間の密封を実現させる。
【００３９】
さらに、本発明は、筐体と筐体に覆設される上蓋アセンブリとを含む圧縮機を提供する。前記筐体内にポンプ及びモータ等の装置が設けられ、前記上蓋アセンブリは上記の何れかのアセンブリ構成である。
【００４０】
以上のことは、本発明につき、実施形態を挙げて詳しく説明したが、これらは決して本発明に限定するものではない。当業者にとって、本発明の概念から逸脱することなく、本発明の保護範囲に属するいくつかの修正および改善を行うことができることに留意されたい。
【図１】
0006902123.tif 000002
【図２】
0006902123.tif 000003
【図３】
0006902123.tif 000004
【図４】
0006902123.tif 000005
【図５】
0006902123.tif 000006
【図６】
0006902123.tif 000007
【図７】
0006902123.tif 000008
【図８】
0006902123.tif 000009
【図９】
0006902123.tif 000010
【図１０】
0006902123.tif 000011
【図１１】
0006902123.tif 000012
【図１２】
0006902123.tif 000013
【図１３】
0006902123.tif 000014
【図１４】
0006902123.tif 000015